(57)【要約】      （修正有）【課題】  極めて簡便な構成でありながら、全ての部材を再利用することができるとともに、印字面やトランスポンダを十分に保護することができる値札収納ケースを提供する。【解決手段】  値札収納ケース１０は、光学的に透明な樹脂シート１１と、一端が開放されるように樹脂シート１１と接着された樹脂シート１２と、一端が開放されるように樹脂シート１２と接着された樹脂シート１３と、一端が開放されるように樹脂シート１３と接着された光学的に透明な樹脂シート１４とが積層されて構成される。樹脂シート１１，１２の間には、少なくとも商品の販売価格を含む所定の商品情報を表示した値札を着脱可能に収納する第１の収納部が形成され、樹脂シート１２，１３の間には、トランスポンダを着脱可能に収納する第２の収納部が形成され、樹脂シート１３，１４の間には、所定の商品情報を表示した他の値札を着脱可能に収納する第３の収納部が形成されている。【選択図】  図４
2006071910.tif 000002
【特許請求の範囲】
【請求項１】
少なくとも商品の販売価格を表示する値札を収納する値札収納ケースであって、
所定の形状からなる複数のシートが少なくとも一端が開放されるように接着されて積層され、
隣接するシートの間には、それぞれ、
少なくとも商品の販売価格を含む所定の商品情報を表示した第１の値札を着脱可能に収納する第１の収納部と、
各種データを読み出し及び／又は書き込み可能に記憶するとともに通信機能を有するトランスポンダを着脱可能に収納する第２の収納部と、
所定の商品情報を表示した第２の値札を着脱可能に収納する第３の収納部とが形成され、
上記第１の収納部及び上記第３の収納部を形成するシートのうち、当該値札収納ケースの外面を形成する領域は、光学的に透明であること
を特徴とする値札収納ケース。
【請求項２】
上記複数のシートは、それぞれ、１本の直線で折り曲げられた光学的に透明な２枚のシートであり、
上記第１の収納部は、上記２枚のシートのうち一方のシートを折り曲げて得られる内面によって形成され、
上記第２の収納部は、折り曲げられた上記第１のシートの一面と、上記２枚のシートのうち他方のシートを折り曲げて得られる一面との間に形成され、
上記第３の収納部は、上記他方のシートを折り曲げて得られる内面によって形成されていること
を特徴とする請求項１記載の値札収納ケース。
【請求項３】
上記２枚のシートは、折り曲げ位置を合わせて積層した状態で圧着されて型抜きされ、
折り曲げられた上記一方のシートの一面と他面とが、一端が開放されるように接着され、上記一方のシートの他面と折り曲げられた上記他方のシートの一面とが、一端が開放されるように接着され、折り曲げられた上記他方のシートの一面と他面とが、一端が開放されるように接着されること
を特徴とする請求項２記載の値札収納ケース。
【請求項４】
上記第１の収納部は、上記第１の値札が折り曲げられた上記一方シートの一面と他面とによって挟持されるように形成され、
上記第２の収納部は、上記トランスポンダが上記一方のシートの他面と上記他方のシートの一面とによって挟持されるように形成され、
上記第３の収納部は、上記第２の値札が折り曲げられた上記他方のシートの一面と他面とによって挟持されるように形成されていること
を特徴とする請求項２記載の値札収納ケース。
【請求項５】
上記複数のシートは、それぞれ、光学的に透明な所定の形状からなる第１のシートと、一端が開放されるように上記第１のシートと接着された所定の形状からなる第２のシートと、一端が開放されるように上記第２のシートと接着された所定の形状からなる第３のシートと、一端が開放されるように上記第３のシートと接着された光学的に透明な所定の形状からなる第４のシートとであり、
上記第１の収納部は、上記第１のシートと上記第２のシートとの間に形成され、
上記第２の収納部は、上記第２のシートと上記第３のシートとの間に形成され、
上記第３の収納部は、上記第３のシートと上記第４のシートとの間に形成されていること
を特徴とする請求項１記載の値札収納ケース。
【請求項６】
上記第１の収納部は、上記第１の値札が上記第１のシートと上記第２のシートとによって挟持されるように形成され、
上記第２の収納部は、上記トランスポンダが上記第２のシートと上記第３のシートとによって挟持されるように形成され、
上記第３の収納部は、上記第２の値札が上記第３のシートと上記第４のシートとによって挟持されるように形成されていること
を特徴とする請求項５記載の値札収納ケース。
【請求項７】
商品に付属させる際に用いる紐体を挿通する孔が穿設されていること
を特徴とする請求項１乃至請求項６のうちいずれか１項記載の値札収納ケース。
【請求項８】
上記トランスポンダは、当該トランスポンダの製造時に固有に付された製造コードを記憶したものであること
を特徴とする請求項１乃至請求項７のうちいずれか１項記載の値札収納ケース。
【発明の詳細な説明】
【技術分野】
【０００１】
本発明は、少なくとも商品の販売価格を表示する値札を収納する値札収納ケースに関し、特に、いわゆるＲＦＩＤ（Radio Frequency Identification）システムにて用いられるトランスポンダを値札とともに収納する値札収納ケースに関する。
【背景技術】
【０００２】
近年、いわゆるＲＦＩＤ（Radio Frequency IDentification）と称される個体管理を行うシステムが各種業界で注目されている。このＲＦＩＤシステムは、各種データを読み出し及び／又は書き込み可能に記憶するとともに通信機能を有する小型の非接触型集積回路（Integrated Circuit；以下、ＩＣという。）デバイス（トランスポンダ）と所定のリーダ／ライタとの間で無線通信を行うことにより、トランスポンダに対して非接触でデータの読み出し及び／又は書き込みを行う技術である。このＲＦＩＤシステムは、例えば、トランスポンダを商品にタグとして取り付けることによって生産・物流管理を行う用途をはじめとし、交通機関の料金徴収や身分証明書、さらには電子マネーといった様々な用途への適用が期待されているものである。
【０００３】
ところで、このようなＲＦＩＤを利用したシステムとして、在庫管理や販売管理を行うものが提案されている。かかる用途においては、商品の販売価格を表示する値札とともにトランスポンダを当該商品に付属させる必要がある。これを実現するための技術としては、例えば特許文献１等に記載されたものが提案されている。
【０００４】
【特許文献１】特開２００３−８４６６９号公報
【０００５】
具体的には、この特許文献１には、ＩＣ内部に商品情報が含まれているとともに、その商品情報が書き換え可能とされるＩＣが内蔵されている値札が開示されている。特に、この値札は、販売価格等が印字された値札表示部と、ＩＣを内蔵するＩＣタグとしてのＩＣ内蔵部とが、貼着剤層を介して接着され、さらにその下層に貼着剤層が設けられた層構造からなるものである。そして、この値札においては、使い終わった場合には、ＩＣ内蔵部のみを回収し、ＩＣを再利用することができるとしている。
【発明の開示】
【発明が解決しようとする課題】
【０００６】
ところで、上述した特許文献１に記載された値札においては、ＩＣを再利用する場合には、値札表示部からＩＣ内蔵部を剥離する必要があった。したがって、この値札においては、ＩＣの再利用を行う度に接着作業及び剥離作業を行う必要があることから、作業に煩雑な感が否めず、また、ＩＣそのものに損傷を与えてしまうおそれもあった。
【０００７】
また、この値札は、販売価格等が印字された値札表示部の下層にＩＣ内蔵部を接着し、さらにその下層に貼着剤層を設けており、全体で１枚のシール状の製品として提供されるものである。したがって、この値札においては、値札表示部における印字面及びＩＣタグとしてのＩＣ内蔵部が剥き出しになっていることから、汚れや外傷に対する耐性が低いという問題があった。
【０００８】
本発明は、このような実情に鑑みてなされたものであり、極めて簡便な構成でありながら、全ての部材を再利用することができるとともに、印字面やトランスポンダを十分に保護することができる値札収納ケースを提供することを目的とする。
【課題を解決するための手段】
【０００９】
上述した目的を達成する本発明にかかる値札収納ケースは、少なくとも商品の販売価格を表示する値札を収納する値札収納ケースであって、所定の形状からなる複数のシートが少なくとも一端が開放されるように接着されて積層され、隣接するシートの間には、それぞれ、少なくとも商品の販売価格を含む所定の商品情報を表示した第１の値札を着脱可能に収納する第１の収納部と、各種データを読み出し及び／又は書き込み可能に記憶するとともに通信機能を有するトランスポンダを着脱可能に収納する第２の収納部と、所定の商品情報を表示した第２の値札を着脱可能に収納する第３の収納部とが形成され、上記第１の収納部及び上記第３の収納部を形成するシートのうち、当該値札収納ケースの外面を形成する領域は、光学的に透明であることを特徴としている。
【００１０】
このような本発明にかかる値札収納ケースは、第１の値札、トランスポンダ、及び第２の値札を、別個の層として形成された第１の収納部乃至第３の収納部にそれぞれ着脱可能に収納することから、商品の売買等を行って不要となった場合には、第１の収納部乃至第３の収納部に収納されている第１の値札、トランスポンダ、及び第２の値札を脱抜することにより、何ら煩雑な作業を要さず且つトランスポンダに損傷を与えることもなく、他の商品に付属させるためにそのまま再利用することができる。
【００１１】
また、本発明にかかる値札収納ケースは、第１の値札及び第２の値札における商品情報が表示された面やトランスポンダが外部に剥き出しになることがなく、汚れや外傷に対する耐性を大幅に高めることができる。
【００１２】
さらに、本発明にかかる値札収納ケースは、第２の収納部にトランスポンダを収納することから、第１の値札に表示された商品情報を、当該値札収納ケースの最前面を形成する領域を介して視認可能とするとともに、第２の値札に表示された商品情報を、当該値札収納ケースの最背面を形成する領域を介して視認可能とし、さらに、視認させる必要がないトランスポンダについては、第１の値札及び第２の値札によって視認不可能とすることができる。
【００１３】
具体的には、本発明にかかる値札収納ケースは、１本の直線で折り曲げられた光学的に透明な２枚のシートを用いて製造することができる。この場合、上記第１の収納部は、上記２枚のシートのうち一方のシートを折り曲げて得られる内面によって形成され、上記第２の収納部は、折り曲げられた上記第１のシートの一面と、上記２枚のシートのうち他方のシートを折り曲げて得られる一面との間に形成され、上記第３の収納部は、上記他方のシートを折り曲げて得られる内面によって形成されることになる。
【００１４】
そして、上記２枚のシートは、折り曲げ位置を合わせて積層した状態で圧着されて型抜きされ、折り曲げられた上記一方のシートの一面と他面とが、一端が開放されるように接着され、上記一方のシートの他面と折り曲げられた上記他方のシートの一面とが、一端が開放されるように接着され、折り曲げられた上記他方のシートの一面と他面とが、一端が開放されるように接着される。
【００１５】
本発明にかかる値札収納ケースは、このような２枚のシートを用いることにより、極めて容易且つ効率的に製造することができる。
【００１６】
ここで、本発明にかかる値札収納ケースにおいて、上記第１の収納部は、上記第１の値札が折り曲げられた上記一方シートの一面と他面とによって挟持されるように形成され、上記第２の収納部は、上記トランスポンダが上記一方のシートの他面と上記他方のシートの一面とによって挟持されるように形成され、上記第３の収納部は、上記第２の値札が折り曲げられた上記他方のシートの一面と他面とによって挟持されるように形成されている。すなわち、本発明にかかる値札収納ケースにおいては、２枚のシートによって形成される第１の収納部乃至第３の収納部の間隔が非常に狭く密着している。これにより、本発明にかかる値札収納ケースは、収納した第１の値札及び第２の値札並びにトランスポンダを確実に挟持し、これら第１の値札及び第２の値札並びにトランスポンダが脱落してしまう事態を回避することができる。
【００１７】
また、本発明にかかる値札収納ケースは、光学的に透明な所定の形状からなる第１のシートと、一端が開放されるように上記第１のシートと接着された所定の形状からなる第２のシートと、一端が開放されるように上記第２のシートと接着された所定の形状からなる第３のシートと、一端が開放されるように上記第３のシートと接着された光学的に透明な所定の形状からなる第４のシートとを用いて製造することができる。この場合、上記第１の収納部は、上記第１のシートと上記第２のシートとの間に形成され、上記第２の収納部は、上記第２のシートと上記第３のシートとの間に形成され、上記第３の収納部は、上記第３のシートと上記第４のシートとの間に形成されることになる。
【００１８】
ここで、本発明にかかる値札収納ケースにおいて、上記第１の収納部は、上記第１の値札が上記第１のシートと上記第２のシートとによって挟持されるように形成され、上記第２の収納部は、上記トランスポンダが上記第２のシートと上記第３のシートとによって挟持されるように形成され、上記第３の収納部は、上記第２の値札が上記第３のシートと上記第４のシートとによって挟持されるように形成されている。すなわち、本発明にかかる値札収納ケースにおいては、第１のシート乃至第４のシートによって形成される第１の収納部乃至第３の収納部の間隔が非常に狭く密着している。これにより、本発明にかかる値札収納ケースは、収納した第１の値札及び第２の値札並びにトランスポンダを確実に挟持し、これら第１の値札及び第２の値札並びにトランスポンダが脱落してしまう事態を回避することができる。
【００１９】
さらに、本発明にかかる値札収納ケースには、商品に付属させる際に用いる紐体を挿通する孔が穿設されている。すなわち、本発明にかかる値札収納ケースは、孔に挿通された紐体を介して商品に付属され、取引に供される。これにより、本発明にかかる値札収納ケースは、貼付することができない商品にも付属させることができる。
【００２０】
さらにまた、本発明にかかる値札収納ケースに収納されるトランスポンダとしては、当該トランスポンダの製造時に固有に付された製造コードを記憶したものを用いるのが望ましい。これにより、本発明にかかる値札収納ケースにおいては、不正な第三者によって商品情報が読み出されるのを回避することができる。
【発明の効果】
【００２１】
本発明においては、極めて簡便な構成でありながら、何ら煩雑な作業を要さず且つトランスポンダに損傷を与えることもなく、全ての部材を再利用することができる。また、本発明においては、第１の値札及び第２の値札における商品情報が表示された面やトランスポンダを十分に保護することができる。
【発明を実施するための最良の形態】
【００２２】
以下、本発明を適用した具体的な実施の形態について図面を参照しながら詳細に説明する。
【００２３】
この実施の形態は、少なくとも商品の販売価格（上代）を表示する値札を収納する値札収納ケースである。特に、この値札収納ケースは、いわゆるＲＦＩＤ（Radio Frequency Identification）システムにて用いられるトランスポンダと、値札とを、着脱可能に収納することができるものである。
【００２４】
図１に分解斜視図を示すように、値札収納ケース１０は、第１のシート乃至第４のシートである４枚の樹脂シート１１，１２，１３，１４が積層されて構成される。これら樹脂シート１１，１２，１３，１４は、例えば、ビニル樹脂シート、ポリエチレンテレフタレートフィルム、又はパラフィン紙等の可撓性を有する光学的に透明な略矩形状の基材からなる。
【００２５】
ここで、これら樹脂シート１１，１２，１３，１４は、それぞれ、同じ形状及び大きさとされてもよいが、後述するように、当該値札収納ケース１０の可搬性を向上させるとともに値札やトランスポンダの着脱を容易とするために、それぞれ、異なる形状及び大きさに形成するのが望ましい。例えば、値札収納ケース１０の最前面を形成する樹脂シート１１は、略矩形状の主面における右端縁中央部に半円状の窪み１１ａが形成されて構成される。また、この樹脂シート１１は、主面における上端縁中央部に、商品に付属させる際に用いる後述する紐体を挿通する孔１１ｃが穿設された半円状の突起１１ｂが形成されて構成される。さらに、樹脂シート１１の下層を形成する樹脂シート１２は、略矩形状の主面を有し、横方向の長さが樹脂シート１１と略同長に形成されて構成される。また、この樹脂シート１２も、主面における上端縁中央部に、商品に付属させる際に用いる紐体を挿通する孔１２ｂが穿設された半円状の突起１２ａが形成されて構成される。さらにまた、樹脂シート１２の下層を形成する樹脂シート１３は、略矩形状の主面を有し、樹脂シート１１，１２よりも横方向の長さが若干長めに形成されて構成される。また、この樹脂シート１３も、主面における上端縁中央部に、商品に付属させる際に用いる紐体を挿通する孔１３ｂが穿設された半円状の突起１３ａが形成されて構成される。また、樹脂シート１３の下層を形成する樹脂シート１４は、略矩形状の主面を有し、樹脂シート１１，１２，１３よりも縦方向の長さが若干短めに形成されて構成される。
【００２６】
値札収納ケース１０は、このような４枚の樹脂シート１１，１２，１３，１４における端縁を、例えば熱圧着や高周波溶着等の方法を用いて接着することにより、図２に正面図及び図３に背面図を示すように、例えば、横方向の長さが３５ｍｍ〜４０ｍｍ程度、縦方向の長さが２０ｍｍ〜２５ｍｍ程度、厚さが１ｍｍ未満程度からなる薄シート状の単一商品として製造される。より具体的には、値札収納ケース１０は、図２に示すように、樹脂シート１１の上端、左端及び下端と、樹脂シート１２とを接着することにより、当該樹脂シート１１，１２によって右端に開放口が形成されて構成される。また、値札収納ケース１０は、樹脂シート１２の上端、左端及び下端と、樹脂シート１３とを接着することにより、当該樹脂シート１２，１３によって右端に開放口が形成されて構成される。さらに、値札収納ケース１０は、図３に示すように、樹脂シート１３の左右端及び下端と、樹脂シート１４とを接着することにより、当該樹脂シート１３，１４によって上端に開放口が形成されて構成される。これにより、値札収納ケース１０は、図４に当該値札収納ケース１０を撓ませた状態における図２中Ａ−Ａ断面図を示すように、樹脂シート１１，１２の間に第１の収納部２１が形成され、樹脂シート１２，１３の間に第２の収納部２２が形成され、樹脂シート１３，１４の間に第３の収納部２３が形成された３層構造とされる。
【００２７】
このような値札収納ケース１０においては、図５に示すように、少なくとも商品の販売価格を含む所定の商品情報を表示した値札３１が、右端に形成された第１の収納部２１における開放口から挿入されることにより、当該値札３１が着脱可能に収納される。また、値札収納ケース１０においては、ＲＦＩＤシステムにて用いられるトランスポンダ３２が、右端に形成された第２の収納部２２における開放口から挿入されることにより、当該トランスポンダ３２が着脱可能に収納される。さらに、値札収納ケース１０においては、所定の商品情報を表示した他の値札３３が、上端に形成された第３の収納部２３における開放口から挿入されることにより、当該値札３３が着脱可能に収納される。
【００２８】
このようにして、値札収納ケース１０は、使用時には、図６に断面図を示すように、値札３１が樹脂シート１１，１２によって挟持され、トランスポンダ３２が樹脂シート１２，１３によって挟持され、さらに、値札３３が樹脂シート１３，１４によって挟持されるように、これら値札３１，３３及びトランスポンダ３２を収納する。このとき、値札収納ケース１０は、図７に正面図を示すように、値札３１に表示された商品情報を、当該値札収納ケース１０の最前面を形成する樹脂シート１１を介して視認可能とするとともに、図８に背面図を示すように、値札３３に表示された商品情報を、当該値札収納ケース１０の最背面を形成する樹脂シート１４を介して視認可能とするように、値札３１，３３を収納する。また、値札収納ケース１０は、トランスポンダ３２については、２枚の値札３１，３３によって視認不可能とするように収納する。
【００２９】
なお、値札３１，３３は、所定の用紙等に商品情報を印字したものを用いることができる。これら値札３１，３３に表示する商品情報としては、例えば図５に示したように、当該値札収納ケース１０を商品としての宝飾品に付属させる場合には、販売価格の他、商品に固有に付された商品コード、指輪やネックレスといった宝飾品の種類、宝飾品に使用している地金の種類、宝飾品に使用している宝石の種類（石目）、宝飾品のデザインを示すデザイン番号、販売する際に用いる商品名、暗号化した英数字からなる符牒、及び／又は製造業者名、さらには必要に応じて、宝飾品に使用している宝石の重さや当該商品情報を示すバーコード等の情報を挙げることができる。これら商品情報は、具体的な文字情報として印字されてもよいが、この文字情報を表す記号として印字されてもよい。なお、これら値札３１，３３に表示する商品情報は、同一のものであってもよく、異なるものであってもよい。また、トランスポンダ３２は、各種データを読み出し及び／又は書き込み可能に記憶するとともに通信機能を有するデバイスであり、所定の薄型基材上に、所定の導体パターンからなるアンテナコイルやＩＣ（Integrated Circuit）チップがプリントされたものを用いることができる。このトランスポンダ３２には、商品情報に対応した情報を記憶させてもよいが、後述するように、セキュリティの観点から、当該トランスポンダ３２の製造時に固有に付された製造コードのみを記憶させるのが望ましい。
【００３０】
このような値札収納ケース１０は、例えば図９に示すように、突起１１ｂ，１２ａ，１３ａに穿設された孔１１ｃ，１２ｂ，１３ｂに挿通された紐体４１を介して商品４０に付属され、取引に供される。ここで、値札収納ケース１０においては、４枚の樹脂シート１１，１２，１３，１４によって形成される第１の収納部２１、第２の収納部２２、及び第３の収納部２３の間隔が非常に狭く密着していることから、収納した値札３１，３３及びトランスポンダ３２を確実に挟持し、これら値札３１，３３及びトランスポンダ３２が脱落してしまうことがない。また、値札収納ケース１０においては、４枚の樹脂シート１１，１２，１３，１４の摩擦による静電気の影響により、収納した値札３１，３３及びトランスポンダ３２をより確実に挟持することができる。
【００３１】
そして、値札収納ケース１０は、商品４０の売買等を行って不要となった場合には、当該商品４０から取り外して回収し、第１の収納部２１及び第３の収納部２３に収納されている値札３１，３３を脱抜するとともに、必要に応じてトランスポンダ３２を脱抜することにより、他の商品に付属させるためにそのまま再利用することができる。すなわち、値札収納ケース１０は、樹脂シート１１，１２，１３，１４の剥離等、何ら煩雑な作業を要することなく再利用することができ、トランスポンダ３２に損傷を与えることもない。
【００３２】
また、値札収納ケース１０は、孔１１ｃ，１２ｂ，１３ｂに挿通された紐体４１を介して商品４０に付属されることから、貼付することができない商品にも付属させることができる。さらに、値札収納ケース１０は、値札３１，３３の印字面やトランスポンダ３２が外部に剥き出しになることはないことから、汚れや外傷に対する耐性を大幅に高めることができる。
【００３３】
このような値札収納ケース１０は、トランスポンダ３２を用いた以下のような在庫管理や販売管理を行う商品管理システムに適用して好適である。
【００３４】
例えば、独特の商法や慣習が根強く残っている宝飾卸業界の分野における使用を考える。宝飾卸業界においては、例えば営業担当者が数百個単位の宝飾品を持ち歩き、営業先で直接売買したり、同業者同士で貸借しあったりすることが多い。そのため、かかる業界においては、個々の宝飾品について、現在誰が所持しているのか、誰が誰に貸与したのか、といった経緯を正確に把握する必要があり、従来行われているバーコードを用いた商品管理システムでは負担が大きい。
【００３５】
そこで、宝石や貴金属による乱反射の影響がなく誤読もほとんどない小型のトランスポンダ３２を値札収納ケース１０に収納し、このトランスポンダ３２に記憶させた情報に基づいて、商品管理を行うシステムが有効である。かかる商品管理システムにおいては、例えば、指輪に当該値札収納ケース１０を付属させた場合には、リング部分に所定のバーを挿通することによって複数の指輪をひとまとめとし、所定のリーダを用いて個々の指輪に付属させた値札収納ケース１０に収納されているトランスポンダ３２に記憶されている情報を読み出すことにより、個々の商品を識別する。ここで、トランスポンダ３２には、上述したように、商品情報に対応した情報を記憶させてもよいが、商品管理システムにおいては、不正な第三者によってこれら情報が読み出されるのを回避するために、トランスポンダ３２には、当該トランスポンダ３２の製造時に固有に付された製造コードのみを記憶させる。そして、商品管理システムにおいては、上述したように、販売価格、商品コード、宝飾品の種類、地金の種類、宝石の種類（石目）、デザイン番号、商品名、符牒、及び／又は製造業者名、さらには必要に応じて、宝石の重さやバーコード等の商品情報と、製造コードとを対応付けて予め作成されたデータベースを参照することにより、リーダによって読み出されたトランスポンダ３２の製造コードに対応する商品情報を検索することができる。なお、ここに記載した商品情報は、例示であって、管理する商品毎に応じて異なるものであることはいうまでもない。
【００３６】
このように、商品管理システムにおいては、値札収納ケース１０に収納されたトランスポンダ３２に製造コードのみを記憶させておくことにより、万が一不正な第三者によって当該トランスポンダ３２に記憶された情報が読み出された場合であっても、データベースにアクセスしない限り、商品情報が盗用される事態を回避することができる。また、商品管理システムにおいては、トランスポンダ３２を値札収納ケース１０に収納することにより、複数の商品についての情報を同時に読み出すことが容易となる。
【００３７】
以上説明したように、本発明の実施の形態として示す値札収納ケース１０は、４枚の樹脂シート１１，１２，１３，１４を積層した極めて簡便な構成でありながら、値札３１，３３及びトランスポンダ３２を、脱落の危険性が少ない状態で確実に収納することができる。そして、値札収納ケース１０は、全ての部材、すなわち、樹脂シート１１，１２，１３，１４を加工することなくそのまま再利用することができるとともに、値札３１，３３の印字面やトランスポンダ３２を十分に保護することができる。
【００３８】
なお、本発明は、上述した実施の形態に限定されるものではない。例えば、上述した実施の形態では、４枚の樹脂シートが積層されて３つの収納部が形成された３層構造とされるものとして説明したが、本発明は、複数のシートを少なくとも一端が開放されるように接着して積層することにより、２枚の値札と１枚のトランスポンダとをそれぞれ別個の層に収納し且つトランスポンダを第２層目に収納するものであれば、いかなるものであっても適用することができる。
【００３９】
例えば、値札収納ケースは、２枚の樹脂シートをそれぞれ折り曲げることによって製造することもできる。かかる値札収納ケースは、例えば以下のような方法によって製造することができる。
【００４０】
まず、値札収納ケースを製造するにあたっては、例えば図１０(ａ)及び図１０(ｂ)に示すように、長尺状の光学的に透明な２枚の樹脂シート５１，５２が用意される。樹脂シート５１は、図１０(ａ)に示すように、棒形状に上述した樹脂シート１１に形成された窪み１１ａに相当する半円状の形状が組み合わせられた形状からなる孔５１ａが複数形成されて構成される。このような樹脂シート５１は、図１１(ａ)に断面図を示すように、同図中一点鎖線で示す１本の直線（中央線）Ｃ１で折り曲げられる。一方、樹脂シート５２には、図１０(ｂ)に示すように、孔等は形成されておらず、同図中一点鎖線で示すように、中央線ではなく、所定長だけ下方に遷移して位置する１本の直線Ｃ２で折り曲げられ、図１１(ｂ)に断面を示す状態とされる。
【００４１】
そして、値札収納ケースを製造するにあたっては、図１２に断面図を示すように、折り曲げられた樹脂シート５１，５２における折り曲げ位置を合わせて積層した状態で、溶着等の方法を用いて当該樹脂シート５１，５２を圧着して型抜きする。具体的には、樹脂シート５１は、図１３(ａ)中破線部で示すように、型抜きを行うための型の一端を孔５１ａ，５１ｂに重畳させた状態で型抜きされる。一方、樹脂シート５２は、図１３(ｂ)中破線部で示すように、直線Ｃ２よりも下方の領域はそのまま略矩形状に型抜きされ、直線Ｃ２よりも上方の領域は、樹脂シート５１における直線Ｃ１よりも上方の領域で型抜きされた形状と同形状に型抜きされる。なお、これら図１３(ａ)及び図１３(ｂ)には、説明の便宜上、樹脂シート５１，５２を折り曲げる前の状態を示しているが、型抜きは、折り曲げられた状態で行われるのは勿論である。
【００４２】
これにより、値札収納ケースは、図１４に当該値札収納ケースを撓ませた状態における断面図を示すように、樹脂シート５１を折り曲げられて得られる内面によって第１の収納部６１が形成され、折り曲げて得られる樹脂シート５１の一面と樹脂シート５２の一面との間に第２の収納部６２が形成され、樹脂シート５２折り曲げて得られる内面によって第３の収納部６３が形成された３層構造とされる。
【００４３】
ここで、この値札収納ケースにおいては、型抜き時に、折り曲げられた樹脂シート５１の一面における上端及び左端が、他面と接着されるとともに、折り曲げられた樹脂シート５２とも接着されることにより、第１の収納部６１及び第２の収納部６２は、それぞれ、上述した第１の収納部２１及び第２の収納部２２と同様に、右端に開放口が形成されたものとなる。また、この値札収納ケースにおいては、型抜き時に、折り曲げられた樹脂シート５２の一面における左右端が、他面と接着されることにより、第３の収納部６３は、上述した第３の収納部２３と同様に、上端に開放口が形成されたものとなる。
【００４４】
このような値札収納ケースは、上述した値札収納ケース１０と同様に、使用時には、値札３１が折り曲げられた樹脂シート５１の一面と他面とによって挟持され、トランスポンダ３２が樹脂シート５１の他面と樹脂シート５２の一面とによって挟持され、さらに、値札３３が折り曲げられた樹脂シート５２の一面と他面とによって挟持されるように、これら値札３１，３３及びトランスポンダ３２を収納することができる。
【００４５】
このように、値札収納ケースは、２枚の樹脂シートをそれぞれ折り曲げることによって極めて容易且つ効率的に製造することができ、２枚の値札と１枚のトランスポンダとをそれぞれ別個の層に収納し且つトランスポンダを第２層目に収納することができる。
【００４６】
また、上述した実施の形態では、光学的に透明な樹脂シートを用いるものとして説明したが、本発明は、無色透明である必要はなく、収納された値札が外部から視認可能であれば有色透明の樹脂シートを用いてもよい。
【００４７】
さらに、上述した実施の形態では、樹脂シートの全てが光学的に透明であるものとして説明したが、本発明は、少なくとも外面を形成する樹脂シートが光学的に透明であればよく、残りの樹脂シートについては、不透明であってもよい。
【００４８】
さらにまた、上述した実施の形態では、略矩形状の外形を有するものとして説明したが、本発明は、外形に拘泥するものではなく、２枚の値札と１枚のトランスポンダとをそれぞれ別個の層に収納し且つトランスポンダを第２層目に収納するものであれば、いかなる形状であっても適用することができる。
【００４９】
また、上述した実施の形態では、値札やトランスポンダを着脱するための開放口が右端及び上端に形成されているものとして説明したが、本発明は、開放口の位置に限定されるものではない。
【００５０】
このように、本発明は、その趣旨を逸脱しない範囲で適宜変更が可能であることはいうまでもない。
【図面の簡単な説明】
【００５１】
【図１】本発明の実施の形態として示す値札収納ケースの構成を説明する分解斜視図である。
【図２】同値札収納ケースの構成を説明する正面図である。
【図３】同値札収納ケースの構成を説明する背面図である。
【図４】同値札収納ケースの構成を説明する図２中Ａ−Ａ断面図であって、当該値札収納ケースを撓ませた状態を示す図である。
【図５】同値札収納ケースに値札及びトランスポンダを収納する様子を説明する図である。
【図６】値札及びトランスポンダが収納された状態における同値札収納ケースの断面図である。
【図７】値札及びトランスポンダが収納された状態における同値札収納ケースの正面図である。
【図８】値札及びトランスポンダが収納された状態における同値札収納ケースの背面図である。
【図９】同値札収納ケースを商品に付属した様子を説明する図である。
【図１０（ａ）】本発明の他の実施の形態として示す値札収納ケースを製造するにあたって用いられる樹脂シートの正面図である。
【図１０（ｂ）】同値札収納ケースを製造するにあたって用いられる樹脂シートの正面図であって、図１０(ａ)に示す樹脂シートに対応して用いられる他の樹脂シートの正面図である。
【図１１（ａ）】図１０(ａ)に示す樹脂シートを折り曲げた様子を説明する断面図である。
【図１１（ｂ）】図１０(ｂ)に示す樹脂シートを折り曲げた様子を説明する断面図である。
【図１２】図１０(ａ)及び図１０(ｂ)に示す２枚の樹脂シートを位置合わせた様子を説明する断面図である。
【図１３（ａ）】図１０(ａ)に示す樹脂シートの正面図であって、同値札収納ケースを製造するにあたって行われる型抜きの様子を説明するための図である。
【図１３（ｂ）】図１０(ｂ)に示す樹脂シートの正面図であって、同値札収納ケースを製造するにあたって行われる型抜きの様子を説明するための図である。
【図１４】同値札収納ケースの構成を説明する断面図であって、当該値札収納ケースを撓ませた状態を示す図である。
【符号の説明】
【００５２】
１０  値札収納ケース
１１，１２，１３，１４、５１，５２  樹脂シート
１１ａ  窪み
１１ｂ，１２ａ，１３ａ  突起
１１ｃ，１２ｂ，１３ｂ  孔
２１，６１  第１の収納部
２２，６２  第２の収納部
２３，６３  第３の収納部
３１，３３  値札
３２  トランスポンダ
４０  商品
４１  紐体
【図１】
2006071910.tif 000003
【図２】
2006071910.tif 000004
【図３】
2006071910.tif 000005
【図４】
2006071910.tif 000006
【図５】
2006071910.tif 000007
【図６】
2006071910.tif 000008
【図７】
2006071910.tif 000009
【図８】
2006071910.tif 000010
【図９】
2006071910.tif 000011
【図１０（ａ）】
2006071910.tif 000012
【図１０（ｂ）】
2006071910.tif 000013
【図１１（ａ）】
2006071910.tif 000014
【図１１（ｂ）】
2006071910.tif 000015
【図１２】
2006071910.tif 000016
【図１３（ａ）】
2006071910.tif 000017
【図１３（ｂ）】
2006071910.tif 000018
【図１４】
2006071910.tif 000019